(57)【特許請求の範囲】
【請求項１】
指針回転軸の周りに、同心円状に複数配置された光源３００，３００と、
前記光源３００の正面側に順次配置された第１導光体（導光板４００）、第２導光体１１及び第３導光体１２と、を備え、
前記第１導光体は、前記複数の光源３００に対応する箇所に設けられ当該光源からの光を当該第１導光体内に反射して入光させるための反射面部４０１と、前記複数の光源に対応する箇所に設けられ当該光源からの光を集光して正面方向へ投光させるためのレンズ形状部４０２と、当該導光体裏面又は表面に設けられて、前記反射面部４０１から入射された光が乱反射して当該導光体の正面に放射される乱反射手段と、を備え、
前記第２導光体１１は、時針を構成するものであって、指針パイプ挿通孔１１２と、前記第１導光体の前記レンズ形状部４０２から投光された光を当該第２導光体１１内に反射して入光させるための時針反射面部１１０と、前記第１導光体の前記レンズ形状部４０２から投光された光を集光して正面方向へ投光させるためのレンズ形状部１１１と、を備え、
前記時針反射面部１１０は、当該時針（第２導光体１１）の一の回転位置において前記光を反射させ当該時針に導入する時針第１反射面１１０ａと、当該時針の他の回転位置において前記光を反射させ当該時針に導入する時針第２反射面１１０ｂと、を有し、且つ、前記時針第１反射面１１０ａは前記指針パイプ挿通孔１１２の上部に形成され、また、前記時針第２反射面１１０ｂは前記指針パイプ挿通孔１１２の左右の斜め上部に形成され、
前記第３導光体１２は、分針を構成するものであって、前記第２導光体１１の前記レンズ形状部１１１から投光された光を当該第３導光体１２内に反射して入光させるための分針反射面部１２０を備えたことを特徴とする照明付き時計装置。
【請求項２】
前記第１導光体の正面側に、当該第１導光体からの光を受けて指標１０１が照明される文字板１０を設けたことを特徴とする請求項１記載の照明付き時計装置。
【請求項３】
前記第１導光体は、これに指標を設けて文字板を構成するものであることを特徴とする請求項１記載の照明付き時計装置。
【請求項４】
前記分針たる第３導光体１２の前記分針反射面部１２０は、前記第２導光体１１の前記レンズ形状部１１１から投光された光を、当該分針の一の回転位置において反射させ当該第３導光体１２に導入する分針第１反射面１２０ａと、当該分針の他の回転位置において反射させ当該第３導光体１２に導入する分針第２反射面１２０ｂと、を有することを特徴とする請求項１記載の照明付き時計装置。
【発明の詳細な説明】
【技術分野】
【０００１】
本発明は、指針や文字板の指標等が光源からの光によって照明される時計装置に関する。
【背景技術】
【０００２】
夜間や暗所をセンサが検出して、指針や文字板の指標等が光源からの光によって照明される時計装置が知られている。
【０００３】
このような照明付き時計装置としては、ムーブメントの回転軸や歯車を透明の導光部材にて導光させるものや、複数の光源を用いて指針や文字板の指標等を照明するものが開発されている（特許文献１〜３）。尚、文字板それ自体を照明する時計装置も知られている（特許文献４〜６）。
【先行技術文献】
【特許文献】
【０００４】
【特許文献１】特開２０１３−７６６３９号公報
【特許文献２】特開２００６−３００７８７号公報
【特許文献３】特開２０００−９８５９号公報
【特許文献４】特許第５１８９５７９号公報
【特許文献５】特開２０１３−２９３３６号公報
【特許文献６】特開２０１１−２０３１５７号公報
【発明の概要】
【発明が解決しようとする課題】
【０００５】
上述した指針や文字板の指標等が光源からの光によって照明される照明付き時計装置において、ムーブメントの回転軸や歯車を透明の導光部材にて導光させるものは、それ専用のムーブメントや歯車を開発する必要があり、汎用ムーブメントでは実現できない。
【０００６】
また、複数の光源を用いて指針や文字板の指標等を照明するものは、複数系統の光源の場合は照明の自由度が大きいという利点を有するが、高価であるという欠点がある。
【０００７】
他方で、光源が１系統の場合は、その１系統の光源で指針や文字板の指標等を如何にて同時に発光させるかを解決しなければならない。また、光源が１系統の場合は、上述した同時発光のほかに、効率よく指針や指標等を照明しなければならないため、構造上の工夫を要するものである。
【０００８】
そこで、本発明は、光源が１系統のものであっても、その１系統の光源で指針や文字板の指標等を同時に発光することができ、しかも、効率よく指針や指標等を照明することができる照明付き時計装置を提供することを目的とするものである。
【課題を解決するための手段】
【０００９】
本願第１請求項に記載した発明は、実施例で用いた符号を付して記すと、指針回転軸の周りに、同心円状に複数配置された光源３００，３００と、
前記光源３００の正面側に順次配置された第１導光体（導光板４００）、第２導光体１１及び第３導光体１２と、を備え、
前記第１導光体は、前記複数の光源３００に対応する箇所に設けられ当該光源からの光を当該第１導光体内に反射して入光させるための反射面部４０１と、前記複数の光源に対応する箇所に設けられ当該光源からの光を集光して正面方向へ投光させるためのレンズ形状部４０２と、当該導光体裏面又は表面に設けられて、前記反射面部４０１から入射された光が乱反射して当該導光体の正面に放射される乱反射手段と、を備え、
前記第２導光体１１は、時針を構成するものであって、指針パイプ挿通孔１１２と、前記第１導光体の前記レンズ形状部４０２から投光された光を当該第２導光体１１内に反射して入光させるための時針反射面部１１０と、前記第１導光体の前記レンズ形状部４０２から投光された光を集光して正面方向へ投光させるためのレンズ形状部１１１と、を備え、
前記時針反射面部１１０は、当該時針（第２導光体１１）の一の回転位置において前記光を反射させ当該時針に導入する時針第１反射面１１０ａと、当該時針の他の回転位置において前記光を反射させ当該時針に導入する時針第２反射面１１０ｂと、を有し、且つ、時針第１反射面１１０ａは指針パイプ挿通孔１１２の上部に形成され、また、時針第２反射面１１０ｂはこの指針パイプ挿通孔１１２の左右の斜め上部に形成され、
前記第３導光体１２は、分針を構成するものであって、前記第２導光体１１の前記レンズ形状部１１１から投光された光を当該第３導光体１２内に反射して入光させるための分針反射面部１２０を備えた構成の照明付き時計装置である。
【００１０】
本願第２請求項に記載した発明は、前記第１導光体の正面側に、当該第１導光体からの光を受けて指標１０１が照明される文字板１０を設けた構成の請求項１記載の照明付き時計装置である。
【００１１】
本願第３請求項に記載した発明は、前記第１導光体は、これに指標１０１を設けて文字板を構成する請求項１記載の照明付き時計装置である。
【００１３】
本願第４請求項に記載した発明は、前記分針たる第３導光体１２の前記分針反射面部１２０は、前記第２導光体１１の前記レンズ形状部１１１から投光された光を、当該分針の一の回転位置において反射させ当該第３導光体１２に導入する分針第１反射面１２０ａと、当該分針の他の回転位置において反射させ当該第３導光体１２に導入する分針第２反射面１２０ｂと、を有する構成の請求項１記載の照明付き時計装置である。
【発明の効果】
【００１４】
本願第１請求項に記載した発明によれば、第１導光体（導光板４００）が反射面部４０１とレンズ形状部４０２とを備えるので、反射面部４０１にて、光源３００からの光を当該第１導光体内に反射して入光させ、従って第１導光体が発光し、また、レンズ形状部４０２によって、光源３００からの光を集光して正面方向へ投光し、これにより第２導光体１１たる時針に光を照射することができる。更に、第２導光体１１は時針反射面部１１０とレンズ形状部１１１とを備えるので、時針反射面部１１０にて、投光された光を当該第２導光体１１内に反射して入光させ、従って第２導光体１１が発光し、また、レンズ形状部１１１によって、投光された光を集光して正面方向へ投光し、これにより第３導光体１２たる分針に光を照射することができる。加えて、第３導光体１２は分針反射面部１２０を備えるので、この分針反射面部１２０にて、投光された光を当該第３導光体１２内に反射して入光させ、従って第３導光体１２が発光する。このようにして、光源３００からの光は順次配置された第１導光体、第２導光体１１及び第３導光体１２を同時に発光させることができ、しかも、効率よく照明することができることになる。さらに、時針たる第２導光体１１の時針反射面部１１０が、前記第１導光体のレンズ形状部４０２から投光された光を、当該時針の一の回転位置において反射させ当該第２導光体に導入する時針第１反射面１１０ａと、当該時針の他の回転位置において反射させ当該第２導光体１１に導入する時針第２反射面１１０ｂとを有するので、時針が適宜の回転位置にあっても、これらの反射面にて、時針たる第２導光体１１の内部に光を導光することが可能となり、従って、適宜の回転位置においても当該時針を発光させることができる。
【００１５】
本願第２請求項に記載した発明によれば、前記第１導光体の正面側に、指標１０１を備えた文字板１０を設けて構成されるので、当該第１導光体からの光を受けて文字板１０の指標１０１が照明されることになる。
【００１６】
本願第３請求項に記載した発明によれば、前記第１導光体に指標１０１を設けて文字板が構成されるので、別途に文字板を設けることなく、第１導光体自体が文字板として機能することができる。
【００１８】
本願第４請求項に記載した発明によれば、分針たる第３導光体１２の前記分針反射面部１２０が、第２導光体１１のレンズ形状部１１１から投光された光を、当該分針の一の回転位置において反射させ当該第３導光体１２に導入する分針第１反射面１２０ａと、当該分針の他の回転位置において反射させ当該第３導光体１２に導入する分針第２反射面１２０ｂとを有するので、分針が適宜の回転位置にあっても、これらの反射面にて、分針たる第３導光体１２の内部に光を導光することが可能となり、従って、適宜の回転位置においても当該分針を発光させることができる。
【図面の簡単な説明】
【００１９】
【図１】本発明の実施例に係り、照明付き時計装置を示す正面図である。
【図２】本発明の実施例に係り、照明付き時計装置を示す縦断面図である。
【図３】本発明の実施例に係り、照明付き時計装置に用いられるムーブメント、回路基板及び光源を示す図であって、（１）は正面図、（２）は縦断面図である。
【図４】本発明の実施例に係り、照明付き時計装置に用いられるムーブメント、回路基板、光源及び第１導光体を示す縦断面図である。
【図５】本発明の実施例に係り、照明付き時計装置に用いられるムーブメント、回路基板、光源、第１導光体及び第２導光体（時針）を示す縦断面図である。
【図６】本発明の実施例に係り、時針（第２導光体）を示す正面図である。
【図７】本発明の実施例に係り、時針（第２導光体）を示す斜視図である。
【図８】本発明の実施例に係り、照明付き時計装置に用いられるムーブメント、回路基板、光源、第１導光体、第２導光体（時針）及び第３導光体（分針）を示す縦断面図である。
【図９】本発明の実施例に係り、分針（第３導光体）を示す正面図である。
【図１０】本発明の実施例に係り、分針（第３導光体）を示す斜視図である。
【図１１】本発明の実施例に係り、文字板とこれに施すインク層を示す図である。
【図１２】本発明の実施例に係り、指標の要部（指標インク層）を示す説明図である。
【図１３】本発明の実施例に係り、文字板とこれに施したインク層を示す説明図である。
【図１４】本発明の実施例に係り、文字板とこれに施したインク層を示す説明図である。
【発明を実施するための最良の形態】
【００２０】
以下に、本発明の実施例を図面に基づいて詳細に説明する。図１〜図３において、本例の時計装置１は、文字板１０の正面に配置された指針（時針，分針，秒針）と、指針を回転するムーブメント２０と、これらを収納する筐体３０と備えている。指針のうち時針及び分針と、文字板１０は、夜間や暗闇の中で、後述する照明装置１００により照明される。
【００２１】
ムーブメント２０の正面側には、回路基板２００が設けられており、回路基板２００の正面側に突出した指針パイプ２１を介して、各指針がそれぞれ所定の速度で回転するように構成されている。回路基板２００の中央には、指針パイプ２１を貫通する通孔２０１が設けられている。
【００２２】
本例の照明装置１００は、回路基板２００に搭載した発光ダイオード等の光源３００と、文字板１０の裏面に設けられた円形プレート状の導光体からなる導光板４００と、導光体からなる時針及び同じく導光体からなる分針とを備えて構成される。尚、本例では、後述するように、文字板１０は、前記導光板４００により発光されるが、これに限られずに、導光板４００によって文字板を形成してもよい。
【００２３】
前記光源３００は、前記導光板４００の方向に光を照射するように設けられており、本例の場合、指針パイプ２１近傍の箇所に、当該指針パイプを囲むように略等間隔に３個配置されている。尚、光源３００の個数は複数個であれば３個に限られない。
【００２４】
尚、前記光源３００は、図示を省略した制御手段により点灯、消灯する。すなわち、環境の明るさを検出するための光センサ（図示を省略）が設けられており、前記制御手段は、環境が暗くなると光源３００を点灯し、明るくなると消灯する。例えば、夜間に部屋の照明を消すと、それに伴い光源３００が点灯して各導光体が照明される。光源３００は、日が昇り明るくなると消灯する。
【００２５】
前記導光板４００、時針及び分針の各導光体は、それぞれ所定箇所から入射された光が、導光体裏面に設けられた乱反射手段により乱反射して導光体の正面に放射されるものである。尚、乱反射手段は正面（表面側）に設けてもよい。
【００２６】
尚、乱反射手段としては、例えば、射出成形にて導光体と一体に成形された球面、円錐、角錐、角柱、又は円筒型の微細凸状の反射ドットを分布してなるものを用いる。これらの分布に関しては、乱反射する光が比較的強い部位では反射ドットの占める面積を疎に設定し、また、乱反射する光が比較的弱い部位では反射ドットの占める面積を密に設定する。更に、シボ処理による乱反射構造、インクや塗料等の印刷や、これらを複合した構造を用いることができる。
【００２７】
前記導光板４００、時針及び分針の各導光体は、本発明の第１導光体、第２導光体１１及び第３導光体１２を構成するものであって、第１導光体（導光板４００）は光源３００に最も近い位置に配置され、第２導光体（時針）１１は第１導光体の次に配置され、第３導光体（分針）１２は第２導光体の次に配置され、各導光体（導光板４００、時針及び分針）は光源３００からの光を順次、当該導光体内に取り込む。更に、光源３００からの光を順次、各導光体内に取り込むこととは別に、導光体に集光した光を、第１導光体（導光板４００）は第２導光体１１へ、また、第２導光体１１は第３導光体１２へ、順次、照射するように構成されている。
【００２８】
すなわち、一般的には光は光源からの距離の二乗に反比例して減衰するため、光源から離れていくほど発光部材の発光条件は不利になる。本例において、光源３００，３００から導光板４００、時針及、分針の順で距離が離れていく。そこで、これら光源３００，３００からの距離が異なる各発光部材が発光するために十分な光を導光しなければならない。そこで、本例では、次のような工夫を講じている。
【００２９】
本発明の第１導光体を構成する前記導光板４００は、図４に示すように、前記複数の光源３００，３００からの光を当該第１導光体内に反射して入光させるための反射面部４０１のみならず、前記複数の光源３００，３００に対応する箇所に設けられ当該光源からの光を集光して正面方向へ投光させるためのレンズ形状部４０２を設けている。
【００３０】
光源３００からの光は、反射面部４０１に反射して第１導光体内に取り入れられ、導光板４００内部を進み、発光箇所に施された発光構造（乱反射手段）により、時計体正面方向に乱反射し、文字板を発光させる。残りの光は、前記レンズ形状部４０２にて集光されるとともに正面方向へ投光され、第２導光体１１を構成する前記時針に入射する。
【００３１】
前記時針は、前記複数の光源３００，３００からの光、とりわけ第１導光体の前記レンズ形状部４０２にて集光され正面方向へ投光された光を、受光する。すなわち、時針は、前記第１導光体たる前記導光板４００のレンズ形状部４０２から投光された光を、当該時針（第２導光体１１）内に反射して入光させるための時針反射面部１１０（１１０ａ，１１０ｂ）を備えている。この時針反射面部１１０（１１０ａ，１１０ｂ）にて反射して入光した光が、時針の導光体内部に取り入れられ、導光体の裏面に設けられた乱反射手段により乱反射して、時針の正面に放射され当該時針を発光させる。尚、乱反射手段は正面（表面側）に設けてもよい。
【００３２】
前記時針反射面部１１０は、上述のように、第１導光体の前記レンズ形状部４０２から投光された光を、当該時針内に反射して入光させるための時針反射面を構成するものであるところ、本例では、時針（第２導光体１１）の或る（一の）回転位置において前記光を反射させ当該時針に導入する時針第１反射面１１０ａと、当該時針の或る（他の）回転位置において反射させ当該時針に導入する時針第２反射面１１０ｂと、を有している。
【００３３】
これを実施例に則して説明すると、図５〜図７において、時針第１反射面１１０ａは指針パイプ挿通孔１１２の上部に形成され、また、時針第２反射面１１０ｂはこの指針パイプ挿通孔１１２の左右の斜め上部に形成されている。
【００３４】
本例では、光源３００が指針パイプ２１の周囲に３個設置されている。すなわち、光源３００は、１２時の位置、４時の位置、及び、８時の位置に設けられている。光源３００と時針（第２導光体１１）が対峙している場合、例えば時針が１２時を指している場合は、光源３００からの光は時針第１反射面１１０ａにより反射し時針は十分な光量を確保できて発光する。ところが、時針が例えば２時を指している場合は、時針の時針第１反射面１１０ａでは十分な光量を反射することができない。そこで、時針第２反射面１１０ｂを設けることにより、時針第２反射面１１０ｂでも光を時針内へ反射させ、従って、時針を挟む両脇の光源（１２時の位置の光源３００と４時の位置の光源３００）からの光を指針方向に反射することができることになる。
【００３５】
このように、時針反射面部１１０が時針第１反射面１１０ａと時針第２反射面１１０ｂを有して構成されている場合は、本例のように、光源３００が指針パイプ２１の周囲に３個設置されているといった光源の数が少ないときでも、時針の回転位置の如何を問わず、時針第１反射面１１０ａと時針第２反射面１１０ｂの双方又はいずれか一方で光を捉えて反射させ、時針の導光体内部に効率よく照射することができ、その結果、時針の発光作用を向上させ得る作用効果を奏する。
【００３６】
尚、昨今、同類技術に用いられる光源としてＬＥＤが一般的に用いられている。光源にＬＥＤを使用して、本例のように指針パイプを囲うように全周を光らせる場合、複数のＬＥＤを円周状に並べることになる。ところが、ＬＥＤは点光源であるため、ＬＥＤとＬＥＤの間ではどうしても光量が少なくなってしまう。また、全周面発光型の光源、例えばＥＬや冷陰極管等の光源を用いることも考えられるが、駆動電圧やスペース、価格等に課題が多く実用的ではない。この点、本例のように構成すると、ＬＥＤ等の点発光体を光源に用いた場合でも、どの針位置でも時針を発光するに十分な光を確保することができる。
【００３７】
時針（第２導光体１１）は、更に、前記レンズ形状部４０２から投光された光を集光して正面方向へ投光させるためのレンズ形状部１１１を備えている。このレンズ形状部１１１は、前記時針反射面部１１０（１１０ａ，１１０ｂ）の内周側で、且つ、指針の指針軸挿通孔１１２の外周側に、リング状を呈して、形成されている。照射された光源３００からの光は、前記レンズ形状部１１１にて集光されるとともに正面方向へ投光され、第３導光体１２を構成する前記分針に入射する。
【００３８】
このように、時針にレンズ形状部１１１を設けると、このレンズ形状部１１１により光を集光して、分針に効率よく照射することができる。従って、前記時針反射面部１１０（１１０ａ，１１０ｂ）と相俟って、より一層効率よく照射することができることになる。
【００３９】
尚、本例では、上述したように、レンズ形状部４０２から投光された光をレンズ形状部１１１で集光して正面方向へ投光させるものであるから、このレンズ形状部１１１のリング状の箇所と、前記第１導光体（導光板４００）の前記レンズ形状部４０２とは、対向位置関係（指針パイプ２１を支点とする放射方向において略同一の半径間隔）を備えていることが好ましい。
【００４０】
前記分針（第３導光体１２）は、図８〜図１０に示すように、前記複数の光源３００，３００からの光、とりわけ時針の前記レンズ形状部１１１にて集光され正面方向へ投光された光を、受光する。すなわち、分針は、時針の場合と同様に、前記第２導光体１１たる時針のレンズ形状部１１１から投光された光を、当該分針（第３導光体１２）内に反射して入光させるための分針反射面部１２０（１２０ａ，１２０ｂ）を備えている。この分針反射面部１２０（１２０ａ，１２０ｂ）にて反射して入光した光が、分針（第３導光体１２）の導光体内部に取り入れられ、導光体の裏面に設けられた乱反射手段により乱反射して、分針の正面に放射され当該分針を発光させる。尚、乱反射手段は正面（表面側）に設けてもよい。
【００４１】
前記分針反射面部１２０は、上述のように、時針の前記レンズ形状部１１１から投光された光を、当該分針内に反射して入光させるための分針反射面を構成するものである。本例では、時針と同様に、分針第１反射面１２０ａと、分針第２反射面１２０ｂと、を有している。
【００４２】
すなわち、本例では、図９〜図１０において、分針第１反射面１２０ａは指針パイプ挿通孔１２１の上部に形成され、また、分針第２反射面１２０ｂはこの指針パイプ挿通孔１２１の左右の斜め上部に形成されている。
【００４３】
尚、本例では、分針（第３導光体１２）は、時針とは異なり、時針では形成されていたレンズ形状部を有しないが、分針第１、第２反射面１２０ａ，１２０ｂは時針の時針第１、第２反射面１１０ａ，１１０ｂと同じであり、従って、時針の場合と同様の作用効果を奏する。すなわち、本例のように、光源３００が指針パイプ２１の周囲に３個設置されているといった光源の数が少ないときでも、分針の回転位置の如何を問わず、分針第１反射面１２０ａと分針第２反射面１２０ｂの双方又はいずれか一方で光を捉えて反射させ、分針の導光体内部に効率よく照射することができ、その結果、分針の発光作用を向上させ得る作用効果を奏する。
【００４４】
次に、文字板の照明構造について説明する。
【００４５】
本例における文字板の照明は、先に特許文献４〜６として示した各公報記載の構造、すなわち、導光体（導光板）自体が文字板を構成するものとは異なり、前記第１導光体からなる導光板４００の発光作用を利用して、当該導光板４００の正面側に文字板素材を配置し、この文字板素材の表裏面に、各々白インク及び黒インクで印刷して、文字板上の指標を発光させるように工夫したものである。
【００４６】
一般に、導光板から発せられた光により文字板上の文字等の指標（以下、文字等の指標を単に「指標」という。）を発光するものにおいて、文字板が黒や紺の濃色文字板であれば、指標部分を白色にすることで、白色の文字部分は導光板からの光により発光し、濃色の文字板面は光を遮断するのでコントラスト良く表示することができる。ところが、時計の場合、白色文字板面に指標は黒色表示が一般的であるため、このタイプのもの（すなわち白色文字板面に黒色指標表示のもの）を用いると、白色文字板面が発光することとなって黒色指標が見ずらくなり、とりわけ本例のように指針（時針及び分針）が発光すると、より一層白色文字板が面発光して、時刻認識がしずらくなる。
【００４７】
そこで、白色文字板面は発光させずに黒色指標又は黒色指標の輪郭部位を発光させることが求められる。黒色指標自体は光を遮断してしまうため発光させることができないので、本発明では、黒色指標の輪郭部位を発光させることとし、しかも安価で効率よく発光させるように工夫したものである。
【００４８】
図１１〜図１４において、本例の文字板構造は、前記導光板４００の正面側に、当該導光板からの光が照射される文字板１０を備え、この文字板１０は、黒色インクで指標（指標インク層１０１）が印刷されて構成される。文字板１０としては、透過性素材からなるプレート、例えばアクリルやポリカーボネート等の透明プラスチック板を用いる。
【００４９】
文字板１０には、表裏それぞれ２つのインク層（指標インク層１０１、裏面第１インク層１０２，裏面第２インク層１０３，正面第１インク層１０４）を設ける。すなわち、文字板１０の裏面側に、全面を拡散透過する白色インク（半透明）で印刷する裏面第１インク層１０２と、裏面第１インク層１０２に重ねて、例えば黒色インク（遮光性インク）で印刷する裏面第２インク層１０３とを備え、当該文字板１０の正面側には、白色インクで印刷する正面第１インク層１０４と、黒色インクで印刷された前記指標インク層１０１とを備える。尚、説明の便宜上、裏面第１インク層１０２を第１印刷、裏面第２インク層１０３を第２印刷、文字板１０正面側の白色インクで印刷する正面第１インク層１０４を第３印刷、そして、指標（指標インク層１０１）を第４印刷と指称する。
【００５０】
また、第２印刷の裏面第２インク層１０３には、第４印刷の前記指標（指標インク層１０１）に対応する非インク層１０３ａが設けられている。従って、導光板４００から照射される光は、この非インク層１０３ａを経由して順次、全面白色インクで印刷された第１印刷の裏面第１インク層１０２と、文字板１０に投光される。尚、この非インク層１０３ａは、前記指標（指標インク層１０１）よりも大きな相似形状の指標を形成している。
【００５１】
更に、第３印刷の前記正面第１インク層１０４は、文字板１０の前記指標インク層１０１（第４印刷）に対応する位置に、当該指標インク層１０１よりも大きな相似形状の非インク層１０４ａを設けている。本例では、この非インク層１０４ａと前記非インク層１０３ａとを同一形状に形成している。
【００５２】
尚、本例では、文字板１０の正面側に、白色インクで正面第１インク層１０４を印刷（第３印刷）し、次に黒色インクで指標インク層１０１を印刷（第４印刷）するようにしたが、基本的に、正面第１インク層１０４と指標インク層１０１は重ならないので、印刷の順序を変えてもよい。もっとも、例えば文字板に適宜文字や記号等を発光させないで表示するような場合は、本例のように指標インク層１０１を後から印刷し、その際に当該記号等を同時に印刷するとよい。
【００５３】
以上の第１〜第４印刷によって、第１印刷により文字板１０は発光し、第２印刷により発光部分以外の光を遮光し、第３印刷にて白色文字板面を加飾し、第４印刷にて指標を加飾することとなる。このように、全面白色インクで印刷された裏面第１インク層１０２（第１印刷）及び、同様に白色インクで印刷された正面第１インク層１０４（第３印刷）を施すことにより、白色文字板面を加飾することができるとともに、後述するように指標をコントラスト良く光らせることができる。尚、これらの第１印刷及び第３印刷が施されていない場合は、黒インクの第２印刷及び第４印刷により、文字板１０がグレーになってしまうことが判明している。
【００５４】
すなわち、前記導光板４００から照射される光は、前記非インク層１０３ａを経由して順次、全面白色インクで印刷された裏面第１インク層１０２で発光し、これが文字板１０に導光され透過して正面方向へ照射される。このとき、第２印刷の裏面第２インク層１０３にて、前記非インク層１０３ａ以外の光が遮光される。尚、本例では、第２印刷の裏面第２インク層１０３を黒色インクで形成したが、この裏面第２インク層１０３は遮光を目的とするものであり、従って、黒色インクに限らず、見栄えのよいシルバーインク等、適宜遮光性のあるインクを用いることができるものである。
【００５５】
前記文字板１０において発光する前記非インク層１０３ａに相応する指標は、第３印刷の非インク層１０４ａにて、当該第３印刷の正面第１インク層１０４と相俟って加飾される。そして、この加飾部分には、第４印刷の黒色インクによる指標インク層１０１が存在し、且つ、当該指標インク層１０１（指標部分）は当該加飾部分よりも小さい相似形であるため、指標に輪郭部分が形成される。更に、この輪郭部分は文字板１０であるため、当該第４印刷にて白色文字板面が加飾されるものである。
【００５６】
尚、第１印刷（拡散透過する全面白色インク層）により、指標の加飾が良好に発現し（第１印刷が施されないと、導光板４００から照射される光が直接に照射されてしまう）、第３印刷（非インク層及び白色インク層）により、指標をコントラスト良く光らせることができる。
【００５７】
以上のように構成することにより、文字板１０が白色文字板であっても、指標（輪郭）をコントラスト良く光らせることができることになる。また、文字板１０に各インク層を形成して構成しているので、透過拡散や遮光のためのプレート等の部材を別途用いることを要しないから、これらを用いる場合に生じ得る不都合、例えば各部材の調達に費用がかかり、またそれらを結合する際各部材の位置決めに手間を要したりする等の不都合を、回避することができる利点を有する。
【産業上の利用可能性】
【００５８】
本発明の照明付き時計装置は、小型の目覚し時計のみならず、比較的大型の掛け時計にも好適である。
【符号の説明】
【００５９】
１    時計装置
１０    文字板
１１    時針（第２導光体）
１２    分針（第３導光体）
１３    秒針
２０    ムーブメント
２１    指針パイプ
３０    筐体
１００    照明装置
１０１    指標インク層（指標）
１０２    裏面第１インク層
１０３    裏面第２インク層
１０３ａ    非インク層
１０４    正面第１インク層
１０４ａ    非インク層
１１０    時針反射面部
１１０ａ    時針第１反射面
１１０ｂ    時針第２反射面
１１１    レンズ形状部
１１２    指針パイプ挿通孔
１２０    分針反射面部
１２０ａ    分針第１反射面
１２０ｂ    分針第２反射面
１２１    指針パイプ挿通孔
２００    回路基板
３００    光源
４００    導光板
４０１    反射面部
４０２    レンズ形状部
【図１】
0006004489.tif 000002
【図２】
0006004489.tif 000003
【図３】
0006004489.tif 000004
【図４】
0006004489.tif 000005
【図５】
0006004489.tif 000006
【図６】
0006004489.tif 000007
【図７】
0006004489.tif 000008
【図８】
0006004489.tif 000009
【図９】
0006004489.tif 000010
【図１０】
0006004489.tif 000011
【図１１】
0006004489.tif 000012
【図１２】
0006004489.tif 000013
【図１３】
0006004489.tif 000014
【図１４】
0006004489.tif 000015